(57)【要約】      （修正有）【課題】差込み管の抜き取りが簡素な操作で安全に行える管楽器の差込み管抜き具を提供する。【解決手段】前部ベース１７と後部ベース１８とを前後方向に間隔をおいて一体的に連結してなるホルダー１６を設け、前部ベース１７に抜差し管部１１が嵌まる逃げ凹部２１と抜差し管部１１の雌側管部１２に係合するストッパー２２とを設け、前部ベース１７と後部ベース１８との間に可動体３０を前後動可能に配置し、可動体３０は、前部可動片３１と後部可動片３２とを前後方向に間隔をおいて一体的に連結するとともに、前部可動片３１に抜差し管部１１の差込み管１３が嵌合係止する係合凹部３１ａを設けてなり、可動体３０の後部可動片３２とホルダー１６の後部ベース１８との間に、可動体３０を後方に移動させる一個の抜きボルト２５、および抜きボルト２５を回転させる操作ハンドル２６を設ける。【選択図】図１
0003134466.tif 000002
【実用新案登録請求の範囲】
【請求項１】
前部ベース（１７）と後部ベース（１８）とを前後方向に間隔をおいて一体的に連結してなるホルダー（１６）を設け、前記前部ベース（１７）に抜差し管部（１１）が嵌まる逃げ凹部（２１）と抜差し管部（１１）の雌側管部（１２）に係合するストッパー（２２）とを設け、前記前部ベース（１７）と後部ベース（１８）との間に可動体（３０）を前後動可能に配置し、該可動体（３０）は、前部可動片（３１）と後部可動片（３２）とを前後方向に間隔をおいて一体的に連結するとともに、前部可動片（３１）に抜差し管部（１１）の差込み管（１３）が嵌合係止する係合凹部（３１ａ）を設けてなり、前記可動体（３０）の後部可動片（３２）と前記ホルダー（１６）の後部ベース（１８）との間に、前記可動体（３０）を後方に移動させる一個の抜きボルト（２５）、および該抜きボルト（２５）を回転させる操作ハンドル（２６）を設けたことを特徴とする管楽器の差込み管抜き具。
【請求項２】
抜きボルト（２５）は逃げ凹部（２１）と係合凹部（３１ａ）とを結ぶ延長線上に配置し、該抜きボルト（２５）の前端部を可動体（３０）の後部可動片（３２）の左右中心部に連結したことを特徴とする請求項１記載の管楽器の差込み管抜き具。
【請求項３】
可動体（３０）の左右両側をホルダー（１６）の左右両側により前後摺動可能に支持したことを特徴とする請求項１又は２記載の管楽器の差込み管抜き具。
【考案の詳細な説明】
【技術分野】
【０００１】
本考案は、管楽器の差込み管、例えばトランペットのマウスピースが腕力で雌側管端部（受け管）から抜き取りできなくなった際に、これを簡素な操作で安全に抜き取りできる管楽器の差込み管抜き具に関するものである。
【背景技術】
【０００２】
一般に、トランペット、トロンボーン、コルネット等の管楽器は、奏者の好み、曲目等によるマウスピースの交換、あるいは管内の清掃等により、マウスピースが抜き差し可能となっている。ところが、何らかの原因で前記マウスピースが受け管に強固に張りつき、腕力では抜き取りできなくなる場合がある。
【０００３】
このように時に従来では図５に示すような抜き具を使用していた。図５において、１は差込み管抜き具、２はそのベースプレートである。該ベースプレート２は、左右（図５において上下）中心部の上部にトランペット１０の抜差し管部１１が逃げる円弧状の逃げ凹部３を形成し、該逃げ凹部３の左右両側に一対のストッパー４をピン５により回動可能に取り付ける。
【０００４】
前記各ストッパー４は、ピン５を中心として互いに接近方向に回動させることにより、抜差し管部１１の雌側をなす受け管１２の端面１２ａに係止させ、ピン５を中心として互いに離れる方向に回動させることによって前記受け管１２の端面１２ａから離脱させるようになっている。
【０００５】
前記ベースプレート２の左右両端部に一対の抜きボルト６を後方（図５において右方）から挿通し、その前端部（図５において左端部）を前記ベースプレート２に回転可能にかつ左右移動不能に係止し、その後端部にそれぞれ棒状の操作ハンドル７を取り付ける。前記抜きボルト６に可動プレート８の左右両端部をねじ嵌合させて前記ベースプレート２と対面させる。該可動プレート８は、その左右中心部の上部に円弧状の係合凹部９が形成され、該係合凹部９は抜差し管部１１の差込み管をなすマウスピース１３の前部側の円錐部１３ａに嵌合係止するようになっている。
【０００６】
そして、トランペット１０のマウスピース１３を受け管１２から離脱させる際には、図５の仮想線で示すように、抜差し管部１１をベースプレート２の逃げ凹部３に嵌め、マウスピース１３の前部側の円錐部１３ａを係合凹部９に嵌合係止し、また、左右のストッパー４，４を受け管１２の端面１２ａに係合させる。この状態で左右のハンドル７，７を介して各抜きボルト６，６をねじ込み方向に回転させ、可動プレート８をベースプレート２に対して後方（図５において右方）に移動させる。これにより、前記マウスピース１３が受け管１２に対して後方に引っ張られ、該マウスピース１３が受け管１２から引き抜かれることになる。
【０００７】
前記従来の差込み管抜き具１は、左右の抜きボルト６，６の回転数が異なると、可動プレート８のベースプレート２に対する平行度が狂い、マウスピース１３の引き抜き力が受け管の軸心線に対して偏倚して両者の嵌合部が変形することになる。このため、操作が煩雑になるとともに、熟練を要するものであった。
【考案の開示】
【考案が解決しようとする課題】
【０００８】
本考案は、差込み管を引き抜く際の操作ボルトを１個にすることにより、簡素な操作で安全に抜き取りできる管楽器の差込み管抜き具を得ることを目的とする。
【課題を解決するための手段】
【０００９】
本考案は、前記目的を達成するために以下の如く構成したものである。即ち、請求項１に係る考案は、前部ベースと後部ベースとを前後方向に間隔をおいて一体的に連結してなるホルダーを設け、前記前部ベースに抜差し管部が嵌まる逃げ凹部と抜差し管部の雌側管部に係合するストッパーとを設け、前記前部ベースと後部ベースとの間に可動体を前後動可能に配置し、該可動体は、前部可動片と後部可動片とを前後方向に間隔をおいて一体的に連結するとともに、前部可動片に抜差し管部の差込み管が嵌合係止する係合凹部を設けてなり、前記可動体の後部可動片と前記ホルダーの後部ベースとの間に、前記可動体を後方に移動させる１個の抜きボルト、および該抜きボルトを回転させる操作ハンドルを設ける構成にしたものである。
請求項２に係る考案は、前記抜きボルトを逃げ凹部と係合凹部とを結ぶ延長線上に配置し、該抜きボルトの前端部を可動体の後部可動片の左右中心部に連結するようにしたものである。
請求項３に係る考案は、前記可動体の左右両側をホルダーの左右両側で前後摺動可能に支持するようにしたものである。
【考案の効果】
【００１０】
請求項１に係る考案は、前部ベースの逃げ凹部に抜差し管部を嵌め、前部ベースに設けたストッパーを前記抜差し管部の雌側管端部に係合させ、可動体の前部可動片の係合凹部に前記抜差し管部の差込み管を嵌合係止し、この状態で抜きボルトを回転させて前記可動体を後方に移動させると、前記差込み管が雌側管端部に対して後方に移動し、差込み管が雌側管端部から引き抜かれることになる。この場合、前記可動体は１個の抜きボルトで後方に移動されるので、該可動体は初期姿勢が変化することなくホルダーに対して後方に移動し、前記差込み管は雌側管端部に対して芯ずれすることなく後方に引っ張られ、円滑に引き抜かれることになる。また、作業者は、１個の抜きボルトを回転させるので、未熟練者であっても、差込み管を容易にかつ安全に抜き取ることができる。
請求項２に係る考案は、前記抜きボルトを逃げ凹部と係合凹部とを結ぶ延長線上に配置したので、可動体の後方移動時の姿勢がより安定することになる。
請求項３に係る考案は、前記可動体がホルダーにガイドされて後方に移動するため、可動体の後方移動時の姿勢がさらに安定することになる。
【考案を実施するための最良の形態】
【００１１】
以下本考案の実施例を図面に基づいて説明する。図において、図１は本考案の実施例を示す一部断面平面図、図２は図１のII-II線による要部断面側面図、図３は図１の左方から見た正面図、図４は図１のIV-IV断面図である。
【００１２】
図１において、１５は管楽器の差込み管抜き具であり、金属製のホルダー１６、及び該ホルダー１６に前後動可能に取り付けた金属製の可動体３０を有してなる。前記ホルダー１６は、左右（図１において上下）に細長い長方形状の前部ベース１７と後部ベース１８とを前後方向に間隔をおいて対面させ、その左右端部を左右一対の保持棒１９により一体的に連結する。即ち、前部ベース１７と後部ベース１８との間に約１００ｍｍの保持棒１９を、左右に約７０ｍｍの間隔をおいて介在させ、ボルト２０により各ベース１７，１８を保持棒１９の両端部に締め付けて三者を一体的に連結する。
【００１３】
前記前部ベース１７の左右中心部に逃げ凹部２１を形成する。該逃げ凹部２１は、図１、図３に示すように、上部が開口した円弧状にするとともに、管楽器、本例ではトランペット１０の抜差し管部１１が遊嵌する内径とする。また、前記逃げ凹部２１の左右両側に一対のストッパー２２を回動可能に取り付ける。即ち、図１、図３に示すように、前記逃げ凹部２１の左右両側の前面側に段状の切欠きを形成し、該切欠きに板状のストッパー２２を左右に対向させてその外端部を嵌合させるとともに該外端部をピン２３により前部ベース１７に回動可能に連結する。各ストッパー２２は内端部に互いに対向する円弧状の係合縁２２ａを有し、該係合縁２２ａが抜差し管部１１の雌側管端部、つまり受け管１２の端縁１２ａに係合できるようにする。
【００１４】
前記後部ベース１８の左右中心部に抜きボルト２５を前後摺動可能に挿通し、該抜きボルト２５の、後部ベース１８から後方に突出する後部にナット２５ａをねじ込み、該ナット２５ａに棒状の操作ハンドル２６を取り付ける。
【００１５】
前記前部ベース１７と後部ベース１８との間に可動体３０を前後動可能に配置する。該可動体３０は、金属製の板材をコ字形に屈曲させ、その起立片を前後に向けて各ベース１７，１８間に配置し、前部の起立辺、つまり前部可動片３１の左右中心部に係合凹部３１ａを形成する。該係合凹部３１ａは、図４に示すように、上部が開口した半円弧状とし、トランペット１０の抜き差し管部１１の差込み管、即ち、マウスピース１３の円錐部１３ａが嵌合係止するようになっている。
【００１６】
前記可動体３０の後部の起立片、つまり後部可動片３２の左右中心部に前記抜きボルト２５の前端部を挿通し、該前端部を、図２に示すように、前記後部可動片３２の上面側からにねじ込んだ止めねじ３４により締め付けて後部可動片３２に一体的に固定する。前記前部可動片３１と後部可動片３２との上部に、板材あるいはパイプ材からなる補強桟３３を取り付け、該補強桟３３により前部可動片３１及び後部可動片３２の拡開を阻止するとともに、該補強桟３３を前述した左右の保持棒１９に接近させ、抜きボルト２５を回転させた際に前記可動体３０が共回りするのを防止する。なお、前記補強桟３３はパイプ材により形成し、これを左右の保持棒１９に前後摺動可能に嵌合させるようにしてもよい。
【図面の簡単な説明】
【００１７】
【図１】本考案の実施例を示す一部断面平面図である。
【図２】図１のII-II線による要部断面側面図である。
【図３】図１の左方から見た正面図である。
【図４】図１のIV-IV断面図である。
【図５】従来例を示す一部断面平面図である。
【符号の説明】
【００１８】
１０    トランペット（管楽器）
１１    抜差し管部
１２    受け管（雌側管端部）
１２ａ  端縁
１３    マウスピース（差込み管）
１３ａ  円錐部
１５    管楽器の差込み管抜き具
１６    ホルダー
１７    前部ベース
１８    後部ベース
１９    保持棒
２０    ボルト
２１    逃げ凹部
２２    ストッパー
２２ａ  係合縁
２３    ピン
２５    抜きボルト
２５ａ  ナット
２６    操作ハンドル
３０    可動体
３１    前部可動片
３１ａ  係合凹部
３２    後部可動片
３３    補強桟
３４    止めボルト
【図１】
0003134466.tif 000003
【図２】
0003134466.tif 000004
【図３】
0003134466.tif 000005
【図４】
0003134466.tif 000006
【図５】
0003134466.tif 000007